(57)【要約】【課題】ソケットレンチないしラチェットレンチと呼ばれる工具に関し、ソケットを工具箱に収めたり、工具箱から取り出したりする手間やソケットを探し回る手間をなくし、能率よく快適に作業を行うことができるようにする。【解決手段】ソケットの両端に寸法の異なるボルト頭に嵌合するボックス４を設け、その両端のボックスの間にソケット取付部６に嵌合する取付孔５を設けると共に、レバー１２の先端のソケット取付軸９ａの突出長さを長くするか、あるいはソケット取付軸９を延長するための延長取付軸２を設ける。好ましくは、レバー１２の端部にソケット保持部１３を設ける。従来構造における４個のソケットをレバー１２に取り付けて作業ができ、ソケットを工具箱に戻したり、床に置いたりすることなく、４種類のボルトやナットの締め緩め作業を行うことができる。【選択図】      図１
2006289525.tif 000002
【特許請求の範囲】
【請求項１】
軸方向両端に異なる寸法のボルト頭に嵌合するボックス(4)を備えかつその両ボックスを連通するように軸方向中央に取付孔(5)を備えたソケット(3)の複数個と、上記ボックスの一方を通って上記取付孔に嵌合する長さのソケット取付軸(9a)又は延長取付軸(2)を装着したレバー(1,12)との組からなる、ソケット交換型レンチ。
【請求項２】
レバー(12)の手で握る側の軸方向端部にソケット取付軸(9a)のソケット取付部(6)と同構造のソケット保持部(13)を備えたソケット保持軸(14)を備えている、請求項１記載のソケット交換型レンチ。
【請求項３】
軸方向両端に異なる寸法のボルト頭に嵌合するボックス(4)を備えかつその両ボックスを連通するように軸方向中央に取付孔(5)を備えたソケット(3)の複数個と、基端に操作レバーのソケット取付軸(9)との連結孔(10)を有しかつ他端に上記ボックスの一方を通って上記取付孔に嵌合するソケット取付部(6)を有する延長取付軸(2)との組からなる、ソケット交換型レンチ用アタッチメント。
【発明の詳細な説明】
【技術分野】
【０００１】
この発明は、手で操作されるレバーの先端にボルトやナットの六角頭に嵌合するソケットを取り付けてボルトやナットを締結するのに用いる手工具に関するもので、一般にソケットレンチないしラチェットレンチと呼ばれる工具に関するものである。
【背景技術】
【０００２】
手で揺動操作されるレバーの先端にスライドボタンなどで回転方向を切替えることができるラチェットを介して装着されたソケット取付軸に、締め又は緩めようとするボルトやナットの六角頭に対応する寸法のソケットを取り付けて、当該ボルトやナットの締結や締結解除を行うソケットレンチないしラチェットレンチと呼ばれる工具は、機械の組立場や修理場で広く用いられている。機械に使われているボルトやナットの大きさには種々のものがあるので、この種のレンチは、大きさの異なる多数のソケットが用意されており、その多数のソケットと１本のレバーとが一つの工具箱に収容できるようになっているのが普通である。
【０００３】
従来のこの種のレンチのソケットは、図４に示すように、短円筒状の部材の一端にレバー１の先端に設けたソケット取付軸９に嵌合する取付孔５を備え、他端に六角形を３０度ずらして重ね合せた断面形状のボックス４を備えている。ボックス４の寸法は、締結するボルトやナットの大きさによって異なるが、近似したソケット寸法のものに同じ寸法の取付孔５を設けて、異なる寸法のソケットを取付軸９に適宜交換して取り付けることができるようになっている。
【０００４】
ソケット取付軸９は、通常は四角形断面で、レバー１の先端から側方に短く突出しており、ばね付勢されたボールとソケットの取付孔５に設けた凹所との嵌合等により、取り付けたソケットの脱落を防止する構造となっている。
【０００５】
ソケットのボックス４は、ボルトやナットの六角頭に合せた寸法となっているので、例えば組立てあるいは修理する機械に寸法の異なる４種類のボルトやナットが使用されているときは、寸法の異なる４個のソケットを適時交換しながらそれらのボルトやナットの締結や取り外し作業を行う。
【特許文献１】実開平２−７９６７号公報
【特許文献２】実開平６−６６９６０号公報
【発明の開示】
【発明が解決しようとする課題】
【０００６】
ＪＩＳなどには非常に多くの寸法のボルトやナットが規定されているが、特定の機械部分に用いられているボルトやナットの寸法は、それほど多くはない。例えば自動車の内装の修理では、４種類程度のソケットでほとんどのボルトやナットの締結を行うことができる。従ってこの場合には、４個のソケットを頻繁に交換して機械の分解や組立を行うのであるが、交換のために取り外したソケットをすぐにまた取り付けなければならない状況が多いため、取り外したソケットを工具箱の所定の位置に収めながら作業を行うのは非常に煩雑であり、時間がかかる。そこで取り外したソケットを近くに置いておくこととなるが、置いたソケットが手足に触れて転がったり、置いた場所が分からなくなったりすることがあり、ソケットを探すのに手間取ることが往々にして起こる。
【０００７】
この発明は、自動車の内装あるいは足回りやエンジンルームの修理場等における上記のような実情に鑑み、ソケットを工具箱に収めたり、工具箱から取り出したりする手間やソケットを探し回る手間をなくし、能率よく快適に作業を行うことが可能なソケット交換型レンチを提供することを課題としている。
【課題を解決するための手段】
【０００８】
この発明は、ソケットの軸方向長さを従来のものより長くして、その両端に寸法の異なるボルト頭に嵌合するボックス４を設け、その両端のボックスの間にソケット取付部６に嵌合する取付孔５を設けると共に、レバー１２の先端のソケット取付軸９ａの突出長さを長くするか、あるいはソケット取付軸９を延長するための延長取付軸２を設けることによって上記課題を解決したものである。
【０００９】
更に好ましくは、レバー１２の手で握る方の端部にレバー軸方向に突出するソケット保持軸１４を設け、このソケット保持軸１４にソケット取付軸９と同様なソケットの取付孔５に嵌合するソケット保持部１３を設けることにより、上記課題をよりよく解決したものである。
【００１０】
両端にボルト頭やナットとのボックス４を設けたソケット３は、両ボックスの間を貫通する取付孔５をレバー１２のソケット取付軸９ａに取り付けることによってレバー１２に装着される。このような双頭のソケットを２個用いれば、ソケットの交換と反転とによって４種類のボルトやナットの締結を行うことができる。そして、取り外したソケットは、レバーに設けたソケット保持軸１４に取り付けておけば、双頭の２個のソケット、すなわち従来構造における４個のソケットをレバー１２に取り付けた状態で作業を行うことができ、ソケットを工具箱に戻したり、床に置いたりすることなく、４種類のボルトやナットの締め緩め作業を行うことができる。
【００１１】
本願の請求項１の発明に係るソケット交換型レンチは、軸方向両端に異なる寸法のボルト頭に嵌合するボックス４を備えかつその両ボックスを連通するように軸方向中央に取付孔５を備えたソケット３の複数個と、上記ボックスの一方を通って上記取付孔に嵌合する長さのソケット取付軸９ａ又は延長取付軸２を装着したレバー１、１２との組からなるソケット交換型レンチである。
【００１２】
本願の請求項２の発明は、上記請求項１記載の手段を備えたソケット交換型レンチにおいて、レバー１２の手で握る側の軸方向端部にソケット取付軸９ａのソケット取付部６と同構造のソケット保持部１３を備えたソケット保持軸１４を備えていることを特徴とするソケット交換型レンチである。
【００１３】
また、本願の請求項３の発明に係るソケット交換型レンチ用アタッチメントは、軸方向両端に異なる寸法のボルト頭に嵌合するボックス４を備えかつその両ボックスを連通するように軸方向中央に取付孔５を備えたソケット３の複数個と、基端に操作レバーのソケット取付軸９との連結孔１０を有しかつ他端に上記ボックスの一方を通って上記取付孔に嵌合するソケット取付部６を有する延長取付軸２との組からなるソケット交換型レンチ用アタッチメントである。
【発明の効果】
【００１４】
例えば組立てないし修理する機械に４種類の寸法のボルトやナットが使用されている場合、この発明のソケット交換型レンチでは、２個のソケットを用いれば足り、取り外したソケットを床などに置いておくとしても、置かれるソケットは１個のみなので、手足が触れて置かれたソケットが転がったり、ソケットの置き場所が分からなくなったりする危険が大幅に低減する。すなわち、従来構造のソケット交換型レンチでは、４種類の寸法のボルトやナットが使われている場合、３個のソケットが床などに置かれることとなり、置かれたソケットに手足が触れる機会が多くなると共に、交換しようとする寸法のソケットをどこに置いたか分からなくなることが多く発生したが、この発明により、そのような問題の発生を大幅に低減できる。
【００１５】
更にレバー１２の手で握る側の軸端にソケット保持軸１４を設けた構造は、取り外した１個のソケットを当該保持部１３に保持させておくことができるので、４種類の寸法のボルトやナットが用いられている場合であれば、それらに嵌合するソケットの総てをレバーに取り付けておくことができ、置いたソケットが転が
ったり、置き場所が分からなくなったりする事態を生ずることがなくなる。
【００１６】
この発明のソケット交換型レンチは、例えば自動車の修理用であれば、内装の修理や足回りの修理などの作業別に、当該機械部分の修理に多く用いる寸法のものを組み合わせた双頭のソケットと既存のラチェットレバーの突出長さの短いソケット取付軸９を延長するための延長取付軸２を提供することによって、経済的にかつそれぞれの機械の組立てや修理により適合したものを得ることができる。
【００１７】
すなわち、この発明によれば、複数種の寸法のボルトやナットを用いた機械の組立てや修理を行う際に、作業に使用するソケットの数が従来の２分の１となり、交換のために工具箱に戻されたり床に置かれたりするソケットの数が大幅に減少するので、ソケットレンチを用いたボルトやナットの締結や緩め作業の効率が大幅に向上し、快適に作業を行うことができるという効果がある。
【発明を実施するための最良の形態】
【００１８】
以下、図面を参照して、この発明の実施形態を説明する。図１は自動車の内装修理に適したこの発明のソケット交換型レンチの一例を示した図で、従来構造のレバー１と、延長取付軸２と、２個のソケット３ａ、３ｂとの組からなっている。
【００１９】
ソケット３ａ、３ｂは、軸方向両端にそれぞれ異なる寸法のボルトやナットとのボックス４を供えている２個のソケットのボックスの寸法は、例えば１７ｍｍと１４ｍｍ及び１２ｍｍと１０ｍｍである。ソケット３ａ、３ｂの軸方向中央には、両端のボックス４を連通する取付孔５が設けられている。この取付孔５は、延長取付軸２のソケット取付部６に嵌合する一般的には四角形断面の孔である。この取付孔５には、延長取付軸のソケット取付部６に設けた係止ボール７が係合する凹所８が設けられている。
【００２０】
延長取付軸２は、一端に従来構造のレバー１に設けられているソケット取付軸９に嵌合する連結孔１０を備えている。この連結孔１０を設けた部分は、外径が大きくなるので、ソケット３ａ、３ｂのボックスの一方を通過する長さの軸部１１を設けて、その先端にソケットａ、ｂと嵌合するソケット取付部が設けられている。このソケット取付部６は、既存のレバーのソケット取付部６と異なる形状であってもよいが、あえて異なる形状とすることもないので、同一形状としてやればよい。
【００２１】
上記構造のソケット交換型レンチにおいて、レバー１に延長取付軸２を装着し、そのソケット取付部６にソケット３ａ、３ｂの一方を装着する。そして、装着したソケットの反転装着と、他方のソケットとの交換により、４種類の寸法のボルトやナットの締め緩め作業を行う。従来構造のソケットが必要なときは、延長取付軸２を取り外して必要とするソケットをレバーのソケット取付軸９に装着する。
【００２２】
図２は、この発明のソケット交換型レンチに特に好適なレバーの一例を示した図である。図のレバー１２は、従来のレバーと同様な構造のラチェットを介して装着されたソケット取付軸９ａを備えているが、当該ソケット取付軸９ａは、図１に示した従来構造のレバーにおけるソケット取付軸９より突出長さが長い。この突出長さは、ソケット３ａ、３ｂのボックス４の一方を通過して、その先端のソケット取付部６をソケットの取付孔５に差し込める長さである。従って、図２のレバー１２を用いるときは、図１に示したような延長取付軸２を使用する必要はない。
【００２３】
また、図２のレバー１２の手で握る側の軸方向端部には、ソケット取付軸９ａと同様な突出長さで、その先端にソケット取付部６と同じ構造のソケット保持部１３を設けたソケット保持軸１４が固定的に設けられている。
【００２４】
図２の構造のレバーでは、ソケット３ａ、３ｂの一方をソケット取付軸９ａに装着したとき、他方をソケット保持軸１４に嵌装して保持する。レバー１２の手で握る側の端部に軸方向に保持されたソケットは、レバー操作の邪魔にならないので、この状態でソケット取付軸９ａに取り付けたソケットでボルトやナットの締め緩めを行うことができる。そして、ソケット取付軸に取り付けたソケットの反転と、ソケット保持軸に保持したソケットとの交換によって４種類の寸法のボルトやナットの締め緩め作業を行う。頻繁に使用する２個のソケットは、常にレバー１２に取り付けられた状態となっているので、使用しないソケットが作業場の床を転がったり置き場所が分からなくなったりすることがなくなる。
【００２５】
使用しないソケットを保持するソケット保持軸は、図１に示すような既存のレバー１に着脱自在なアタッチメントとして提供することもできる。すなわち図３に示すように、レバー１の手で握る部分に嵌着される嵌合孔１５を有するグリップ部１７に図２で説明したと同様なソケット保持部１３を設けたアタッチメント１６を、双頭のソケット３ａ、３ｂ及び図１に示した延長取付軸２と共に提供することにより、従来構造のレバー１を用いて図２に示した専用レバー１２と同様な利便性を得ることができる。アタッチメント１６にレバー１を操作するときに握るグリップ部１７を設けることにより、嵌合孔１５を長くすることができるから、レバー１へのアタッチメント１６の嵌合状態が安定になる。
【図面の簡単な説明】
【００２６】
【図１】この発明の第１実施形態を示す一部断面側面図
【図２】第２実施形態のレバーのみを示す一部断面側面図
【図３】アタッチメント型のソケット保持軸を示す一部断面側面図
【図４】従来のソケットを示す断面図
【符号の説明】
【００２７】
１  レバー
２  延長取付軸
３  ソケット
４  ボックス
５  取付孔
６  ソケット取付部
9a  ソケット取付軸
10  連結孔
12  レバー
13  ソケット保持部
14  ソケット保持軸
【図１】
2006289525.tif 000003
【図２】
2006289525.tif 000004
【図３】
2006289525.tif 000005
【図４】
2006289525.tif 000006